(57)【特許請求の範囲】
【請求項１】
情報記録媒体からの光ビームの反射光を受光して得られる受光信号に基づいて生成信号を生成し、当該生成信号のレベルを増幅して出力する生成手段と、
前記生成手段から出力される生成信号の出力レベルを検出する検出手段と、
前記検出された出力レベルに基づいて、前記生成手段において生成信号のレベルを増幅する際の利得に対応するパラメータを生成するパラメータ生成手段と、
前回までに生成された前記パラメータを時系列的に複数個記憶する記憶手段と、
前記パラメータに基づいて前記利得を設定する制御手段と、を備え、
前記制御手段は、前記記憶手段に記憶された前回までのパラメータに基づいて前記生成手段における今回の利得を設定することを特徴とする利得制御装置。
【請求項２】
請求項１に記載の利得制御装置において、
前記生成手段は、
前記生成信号を前記利得にて増幅する粗調整手段と、
前記利得にて増幅された前記生成信号を、更に、増幅する微調整手段と、を更に備え、
前記制御手段は、前記記憶手段に記憶された前回までのパラメータに基づいて前記利得を設定することを特徴とする利得制御装置。
【請求項３】
請求項１又は２に記載の利得制御装置において、
前記生成信号のレベルは前記反射光の特性の変化に伴って変化するものであると共に、
前記パラメータ生成手段は、
前記反射光の特性に相関する特性を有する前記生成信号を用いて前記パラメータを生成する一方、
前記制御手段は、
前記記憶手段に記憶された複数個の前記パラメータに基づいて前記反射光の特性の経時変化を示す変化パラメータを生成し、当該生成された変化パラメータに基づいて前記生成手段における利得を設定することを特徴とする利得制御装置。
【請求項４】
請求項３に記載の利得制御装置において、
前記情報記録媒体はトラックを形成して情報が記録されている情報記録媒体であると共に、
前記生成信号は、前記情報に対応するＲＦ信号又は前記情報記録媒体上における前記光ビームの照射位置の前記トラックからのずれを示すエラー信号のうちの少なくともいずれか一の信号であることを特徴とする利得制御装置。
【請求項５】
請求項４に記載の利得制御装置において、
前記情報記録媒体はディスク状記録媒体であると共に、
前記エラー信号は、前記照射位置の当該ディスク状記録媒体の半径方向の前記トラックからのずれを示すトラッキングエラー信号又は当該照射位置の当該ディスク状記録媒体に垂直な方向の前記トラックからのずれを示すフォーカスエラー信号のうちの少なくともいずれか一のエラー信号であることを特徴とする利得制御装置。
【請求項６】
請求項１から５のいずれか一項に記載の利得制御装置を備える情報再生装置であって、
前記情報記録媒体に対して前記光ビームを照射すると共に前記反射光を受光して前記受光信号を生成するピックアップ手段と、
前記制御手段により設定された利得に応じて前記生成手段にて増幅された前記生成信号に基づいて前記情報記録媒体上からの情報の再生に伴う制御を行う再生制御手段と、
を備えることを特徴とする情報再生装置。
【請求項７】
請求項１から５のいずれか一項に記載の利得制御装置を備える情報記録装置であって、
前記情報記録媒体に対して前記光ビームを射出すると共に前記反射光を受光して前記受光信号を生成するピックアップ手段と、
前記制御手段により設定された利得に応じて前記生成手段にて増幅された前記生成信号に基づいて前記情報記録媒体上からの情報の再生を行う再生手段と、
前記再生された情報に基づいて、前記情報記録媒体に記録すべき記録情報を加工し、当該情報記録媒体に記録する記録手段と、
を備えることを特徴とする情報記録装置。
【請求項８】
情報記録媒体からの光ビームの反射光を受光して得られる受光信号に基づいて生成される生成信号のレベルを増幅する増幅装置における利得制御方法であって、
前記増幅された生成信号のレベルを検出して、当該検出された出力レベルに基づき前記増幅装置において生成信号のレベルを増幅する際の利得に対応するパラメータを生成する生成工程と、
前記生成されたパラメータを時系列的に複数個記憶手段に記憶させる記憶工程と、
前回までの利得制御時に取得され、前記記憶手段に記憶済みの前記パラメータに基づいて前記増幅装置における今回の利得を設定する制御工程と、
を備えることを特徴とする利得制御方法。
【請求項９】
請求項８に記載の利得制御方法において、
前記増幅装置が
前記生成信号を前記利得にて増幅する粗調整手段と、
前記利得にて増幅された前記生成信号を、更に、増幅する微調整手段と、を更に備える場合に、
前記制御工程においては、
前記記憶手段に記憶された前回までのパラメータに基づいて前記利得を設定することを特徴とする利得制御方法。
【請求項１０】
請求項８又は９に記載の利得制御方法において、
前記生成信号のレベルは前記反射光の特性の変化に伴って変化するものであると共に、
前記パラメータ生成工程においては、
前記反射光の特性に相関する特性を有する前記生成信号を用いて前記パラメータを生成する一方、
前記制御工程においては、
前記記憶手段に記憶された複数個の前記パラメータに基づいて前記反射光の特性の経時変化を示す変化パラメータを生成し、当該生成された変化パラメータに基づいて前記増幅装置における利得を設定することを特徴とする利得制御方法。
【請求項１１】
請求項１０に記載の利得制御方法において、
前記情報記録媒体はトラックを形成して情報が記録されている情報記録媒体であると共に、
前記生成信号は、前記情報に対応するＲＦ信号又は前記情報記録媒体上における前記光ビームの照射位置の前記トラックからのずれを示すエラー信号のうちの少なくともいずれか一の信号であることを特徴とする利得制御方法。
【請求項１２】
請求項１１に記載の利得制御方法において、
前記情報記録媒体はディスク状記録媒体であると共に、
前記エラー信号は、前記照射位置の当該ディスク状記録媒体の半径方向の前記トラックからのずれを示すトラッキングエラー信号又は当該照射位置の当該ディスク状記録媒体に垂直な方向の前記トラックからのずれを示すフォーカスエラー信号のうちの少なくともいずれか一のエラー信号であることを特徴とする利得制御方法。
【請求項１３】
請求項８から１２のいずれか一項に記載の利得制御方法を含む情報再生方法であって、
前記情報記録媒体に対して前記光ビームを照射すると共に前記反射光を受光して前記受光信号を生成するピックアップ工程と、
前記制御工程にて設定された利得に応じて前記増幅装置にて増幅された前記生成信号に基づいて前記情報記録媒体上からの情報の再生に伴う制御を行う再生制御工程と、
を備えることを特徴とする情報再生方法。
【請求項１４】
請求項８から１２のいずれか一項に記載の利得制御方法を含む情報記録方法であって、
前記情報記録媒体に対して前記光ビームを射出すると共に前記反射光を受光して前記受光信号を生成するピックアップ工程と、
前記制御工程にて設定された利得に応じて前記増幅装置にて増幅された前記生成信号に基づいて前記情報記録媒体上からの情報の再生を行う再生工程と、
前記再生された情報に基づいて、前記情報記録媒体に記録すべき記録情報を加工し、当該情報記録媒体に記録する記録工程と、
を備えることを特徴とする情報記録方法。
【発明の詳細な説明】
【０００１】
【発明の属する技術分野】
本発明は、利得制御装置及び方法、当該利得制御装置及び方法を備えた情報再生装置及び方法並びに情報記録装置及び方法の技術分野に属し、より詳細には、光ディスク等の情報記録媒体に対して光学的に情報の再生又は記録の少なくともいずれか一方を行う際の再生制御又は記録制御に用いられる信号の利得を制御する利得制御装置及び方法、当該利得制御装置及び方法を備えた情報再生装置及び方法並びに情報記録装置及び方法の技術分野に属する。
【０００２】
【従来の技術】
従来、上述したような光学的な情報の再生又は記録を行う場合には、当該再生又は記録用のレーザ光等の光ビームを情報記録媒体に照射し、その反射光を受光することにより得られる信号を用いて種々の制御又は再生処理或いは記録処理を行うのが通常である。
【０００３】
より具体的には、従来の情報再生装置又は情報記録装置においては、例えば、当該反射光を受光して得られる受光信号を加工することによりいわゆるフォーカスエラー信号（すなわち、光ビームの焦点位置の情報記録媒体に垂直な方向のずれを示すフォーカスエラー信号）又はトラッキングエラー信号（すなわち、光ビームの焦点位置の情報記録媒体に平行な方向のずれを示すトラッキングエラー信号）を生成し、これに基づいて当該焦点位置を上記垂直な方向又は平行な方向にサーボ制御することにより正確に情報の再生又は記録が行われるように構成されている。
【０００４】
そして、この場合には、得られる反射光の強度に対応して当該フォーカスエラー信号又はトラッキングエラー信号における利得（ゲイン又は感度）を最適化して夫々のサーボ制御を行っている。ここで、当該利得の最適化を行うのは、夫々のエラー信号の利得が高すぎると最悪の場合サーボ制御機構が発振して当該サーボ制御が実行できないこととなり、一方、その利得が低すぎるとエラー信号として機能しなくなるからである。
【０００５】
また、当該反射光を受光して得られる再生信号（具体的には、情報記録媒体に記録されている情報に対応する再生ＲＦ（Radio  Frequency）信号等）に基づいて情報を再生する場合でも、その再生処理に適するように当該再生信号の利得を調整するのが通常である。
【０００６】
なお、上述した利得の調整は、例えば、ピックアップ内の対物レンズの表面の汚れ等に起因して反射光を受光して得られる受光信号の強度そのものが時間と共に低下していった場合にも、その低下による上記再生信号等の利得の低下を補うべく行う必要がある。
【０００７】
ここで、上述した各信号の利得の調整については、従来は、主として調整時間の短縮化を目的として、入力されてきた各信号の利得を一時的に粗調整（具体的には、広い利得の範囲に渡って粗い調整単位を用いて調整するこという。以下、同じ。）し、その粗調整の結果に基づいて、更に微調整（具体的には、粗調整後の利得を、当該粗調整後の利得を含む利得の範囲であって当該粗調整時の利得の範囲よりも狭い利得の範囲について当該粗調整における調整単位よりも木目細かい調整単位を用いて調整することをいう。以下、同じ。）を行って夫々の信号毎に所望の利得調整値を得ることが行われていた。
【０００８】
この粗調整及び微調整について、更に具体的に説明すると、例えば、ある一の信号について、微調整する利得の範囲が±６dBの範囲であるとすると、当該微調整後の利得の値が当該一の信号の利得の初期値に対して＋６dBより大きくなっていた場合は、その直前の粗調整時の利得制御が不適当であったとして、次の利得調整タイミングにおいては、粗調整時に当該利得の初期値に対して＋６dBだけ予め利得を増大しておき、その後の微調整時では±６dBの範囲内で微調整を行うことを繰り返す。
【０００９】
また、当該一の信号について、微調整する利得の範囲を同様に±６dBの範囲としたとき、当該微調整後の利得の値が当該一の信号の利得の初期値に対して−６dBより小さくなっていた場合は、その直前の粗調整時の利得制御が同じく不適当であったとして、次の利得調整タイミングにおいては、粗調整時に当該利得の初期値に対して−６dBだけ予め利得を低減しておき、その後の微調整時では±６dBの範囲内で微調整を行うことを繰り返すのである。
【００１０】
【発明が解決しようとする課題】
しかしながら、上述の粗調整と微調整を組み合わせた調整方法によると、一旦粗調整を行うと必ずその結果を用いて微調整を行う必要があることになる。そして、このことは、細かい時間的間隔で頻繁に粗調整における調整値の変更が行われた場合には、これに伴って微調整も繰り返されることとなり、結果として調整時間全体が増大して次の処理（すなわち、実際の再生処理又は記録処理等）に移行するまでに不要な時間が必要となるという問題点があった。
【００１１】
一方で、この問題点を解決すべく粗調整における調整範囲を広くして粗調整の回数を低減させると、今度はそれに伴う微調整に時間が係り（すなわち、粗調整の回数が減少したことにより微調整すべき利得の範囲が広がることに起因して当該微調整のための時間も増大することとなる。）、結果として調整時間全体としての時間も短縮されないという問題点が生じる。
【００１２】
そこで、本発明は、上記の各問題点に鑑みてなされたもので、その課題は、調整精度を低減させることなく、利得調整時間を短縮させることが可能な利得制御装置及び方法、情報再生装置及び方法並びに情報記録装置及び方法を提供することにある。
【００１３】
【課題を解決するための手段】
上記の課題を解決するために、請求項１に記載の発明は、光ディスク等の情報記録媒体からの光ビームの反射光を受光して得られる受光信号に基づいて生成信号を生成し、当該生成信号のレベルを増幅して出力するプリアンプ等の生成手段と、前記生成手段から出力される生成信号の出力レベルを検出する検出手段と、前記検出された出力レベルに基づいて、前記生成手段において生成信号のレベルを増幅する際の利得に対応するパラメータを生成するパラメータ生成手段と、前回までに生成された前記パラメータを時系列的に複数個記憶するメモリ等の記憶手段と、前記パラメータに基づいて前記利得を設定するＣＰＵ等の制御手段と、を備え、前記制御手段は、前記記憶手段に記憶された前回までのパラメータに基づいて前記生成手段における今回の利得を設定する。
【００１４】
よって、時系列的に蓄積された過去のパラメータを用いて今回の利得を設定することにより、生成信号の値の変化を予め見越して利得を調整することができることとなる。この結果、前回の利得制御時における調整値として、例えば、粗調整時における調整値をそのまま用いて今回の利得（例えば、粗調整時の利得）を設定できる場合が多くなる。従って、例えば、粗調整における調整値が当該粗調整の度に頻繁に変更されることに起因する利得調整時間の増大を、調整精度を保持しつつ効果的に防止できる。
【００１５】
上記の課題を解決するために、請求項２に記載の発明は、請求項１に記載の利得制御装置において、前記生成手段は、前記生成信号を前記利得にて増幅する粗調整手段と、前記利得にて増幅された前記生成信号を、更に、増幅する微調整手段と、を更に備え、前記制御手段は、前記記憶手段に記憶された前回までのパラメータに基づいて前記利得を設定する構成となっている。
【００１６】
よって、時系列的に蓄積された過去の生成信号の値を用いて今回の利得を粗調整し、更にその結果に基づいて当該利得を微調整することにより、生成信号の値の変化を予め見越して利得を粗調整した後に微調整することができることとなるので、前回の粗調整時における調整値をそのまま用いて今回の粗調整を行い更に微調整を行える場合が多くなることとなり、従って、粗調整における調整値が当該粗調整の度に頻繁に変更されることに起因する利得調整時間の増大を、調整精度を保持しつつ効果的に防止できる。
【００１９】
上記の課題を解決するために、請求項３に記載の発明は、請求項１又は２に記載の利得制御装置において、前記生成信号のレベルは前記反射光の特性の変化に伴って変化するものであると共に、前記パラメータ生成手段は、前記反射光の特性に相関する特性を有する前記生成信号を用いて前記パラメータを生成する一方、前記制御手段は、前記記憶手段に記憶された複数個の前記パラメータに基づいて前記反射光の特性の経時変化を示す変化パラメータを生成し、当該生成された変化パラメータに基づいて前記生成手段における利得を設定するように構成される。
【００２０】
よって、パラメータ及び変化パラメータを夫々生成しつつ生成手段における利得を設定するので、より正確に利得を予測して反射光の特性変化に伴う利得調整時間の増大を防止できる。
【００２１】
上記の課題を解決するために、請求項４に記載の発明は、請求項３に記載の利得制御装置において、前記情報記録媒体はトラックを形成して情報が記録されている情報記録媒体であると共に、前記生成信号は、前記情報に対応するＲＦ信号又は前記情報記録媒体上における前記光ビームの照射位置の前記トラックからのずれを示すエラー信号のうちのいずれか一の信号であるように構成される。
【００２２】
よって、反射光に対して強い相関を有するＲＦ信号又はエラー信号のうちの少なくともいずれか一の信号に基づいてパラメータ及び変化パラメータが生成されるので、より正確に反射光の特性の経時変化に起因する調整すべき利得の変化を把握してこれを調整することができる。
【００２３】
上記の課題を解決するために、請求項５に記載の発明は、請求項４に記載の利得制御装置において、前記情報記録媒体はディスク状記録媒体であると共に、前記エラー信号は、前記照射位置の当該ディスク状記録媒体の半径方向の前記トラックからのずれを示すトラッキングエラー信号又は当該照射位置の当該ディスク状記録媒体に垂直な方向の前記トラックからのずれを示すフォーカスエラー信号のうちの少なくともいずれか一のエラー信号であるように構成される。
【００２４】
よって、ディスク状記録媒体に対する情報の再生又は記録のうち少なくともいずれか一方を行う場合において、より正確に反射光の特性の経時変化に起因する調整すべき利得の変化を把握してこれを調整することができる。
【００２７】
上記の課題を解決するために、請求項６に記載の発明は、請求項１から５のいずれか一項に記載の利得制御装置を備える情報再生装置であって、前記情報記録媒体に対して前記光ビームを照射すると共に前記反射光を受光して前記受光信号を生成するピックアップ等のピックアップ手段と、前記制御手段により設定された利得に応じて前記生成手段にて増幅された前記生成信号に基づいて前記情報記録媒体上からの情報の再生に伴う制御を行うＣＰＵ等の再生制御手段と、を備える。
【００２８】
よって、情報記録媒体から情報を再生する場合に、生成信号に対する利得調整時間を短縮して迅速に情報の再生を行うことができる。
【００２９】
上記の課題を解決するために、請求項７に記載の発明は、請求項１から５のいずれか一項に記載の利得制御装置を備える情報記録装置であって、前記情報記録媒体に対して前記光ビームを射出すると共に前記反射光を受光して前記受光信号を生成するピックアップ等のピックアップ手段と、前記制御手段により設定された利得に応じて前記生成手段にて増幅された前記生成信号に基づいて前記情報記録媒体上からの情報の再生を行うＤＳＰ等の再生手段と、前記再生された情報に基づいて、前記情報記録媒体に記録すべき記録情報を加工し、当該情報記録媒体に記録するエンコーダ等の記録手段と、を備える。
【００３０】
よって、情報記録媒体に対して情報を記録する場合に、生成信号に対する利得調整時間を短縮して迅速に情報の記録を行うことができる。
【００３１】
上記の課題を解決するために、請求項８に記載の発明は、光ディスク等の情報記録媒体からの光ビームの反射光を受光して得られる受光信号に基づいて生成される生成信号のレベルを増幅する増幅装置における利得制御方法であって、前記増幅された生成信号のレベルを検出して、当該検出された出力レベルに基づき前記増幅装置において生成信号のレベルを増幅する際の利得に対応するパラメータを生成する生成工程と、前記生成されたパラメータを時系列的に複数個記憶手段に記憶させる記憶工程と、前回までの利得制御時に取得され、前記記憶手段に記憶済みの前記パラメータに基づいて前記増幅装置における今回の利得を設定する制御工程と、を備える。
【００３２】
よって、時系列的に蓄積された過去のパラメータを用いて今回の利得を設定することにより、生成信号の値の変化を予め見越して利得を調整することができることとなる。この結果、前回の利得制御時における調整値として、例えば、粗調整時における調整値をそのまま用いて今回の利得（例えば、粗調整時の利得）を設定できる場合が多くなる。従って、例えば、粗調整における調整値が当該粗調整の度に頻繁に変更されることに起因する利得調整時間の増大を、調整精度を保持しつつ効果的に防止できる。
【００３３】
上記の課題を解決するために、請求項９に記載の発明は、請求項８に記載の利得制御方法において、前記増幅装置が前記生成信号を前記利得にて増幅する粗調整手段と、前記利得にて増幅された前記生成信号を、更に、増幅する微調整手段と、を更に備える場合に、前記制御工程においては、前記記憶手段に記憶された前回までのパラメータに基づいて前記利得を設定するように構成される。
【００３４】
よって、時系列的に蓄積された過去の生成信号の値を用いて今回の利得を粗調整し、更にその結果に基づいて当該利得を微調整することにより、生成信号の値の変化を予め見越して利得を粗調整した後に微調整することができることとなるので、前回の粗調整時における調整値をそのまま用いて今回の粗調整を行い更に微調整を行える場合が多くなることとなり、従って、粗調整における調整値が当該粗調整の度に頻繁に変更されることに起因する利得調整時間の増大を、調整精度を保持しつつ効果的に防止できる。
【００３７】
上記の課題を解決するために、請求項１０に記載の発明は、請求項８又は９に記載の利得制御方法において、前記生成信号のレベルは前記反射光の特性の変化に伴って変化するものであると共に、前記パラメータ生成工程においては、前記反射光の特性に相関する特性を有する前記生成信号を用いて前記パラメータを生成する一方、前記制御工程においては、前記記憶手段に記憶された複数個の前記パラメータに基づいて前記反射光の特性の経時変化を示す変化パラメータを生成し、当該生成された変化パラメータに基づいて前記増幅装置における利得を設定するように構成される。
【００３８】
よって、パラメータ及び変化パラメータを夫々生成しつつ増幅装置における利得を設定するので、より正確に利得を予測して反射光の特性変化に伴う利得調整時間の増大を防止できる。
【００３９】
上記の課題を解決するために、請求項１１に記載の発明は、請求項１０に記載の利得制御方法において、前記情報記録媒体はトラックを形成して情報が記録されている情報記録媒体であると共に、前記生成信号は、前記情報に対応するＲＦ信号又は前記情報記録媒体上における前記光ビームの照射位置の前記トラックからのずれを示すエラー信号のうちの少なくともいずれか一の信号であるように構成される。
【００４０】
よって、反射光に対して強い相関を有するＲＦ信号又はエラー信号のうちの少なくともいずれか一の信号に基づいてパラメータ及び変化パラメータが生成されるので、より正確に反射光の特性の経時変化に起因する調整すべき利得の変化を把握してこれを調整することができる。
【００４１】
上記の課題を解決するために、請求項１２に記載の発明は、請求項１１に記載の利得制御方法において、前記情報記録媒体はディスク状記録媒体であると共に、前記エラー信号は、前記照射位置の当該ディスク状記録媒体の半径方向の前記トラックからのずれを示すトラッキングエラー信号又は当該照射位置の当該ディスク状記録媒体に垂直な方向の前記トラックからのずれを示すフォーカスエラー信号のうちの少なくともいずれか一のエラー信号であるように構成される。
【００４２】
よって、ディスク状記録媒体に対する情報の再生又は記録のうち少なくともいずれか一方を行う場合において、より正確に反射光の特性の経時変化に起因する調整すべき利得の変化を把握してこれを調整することができる。
【００４５】
上記の課題を解決するために、請求項１３に記載の発明は、請求項８から１２のいずれか一項に記載の利得制御方法を含む情報再生方法であって、前記情報記録媒体に対して前記光ビームを照射すると共に前記反射光を受光して前記受光信号を生成するピックアップ工程と、前記制御工程にて設定された利得に応じて前記増幅装置にて増幅された前記生成信号に基づいて前記情報記録媒体上からの情報の再生に伴う制御を行う再生制御工程と、を備える。
【００４６】
よって、情報記録媒体から情報を再生する場合に、生成信号に対する利得調整時間を短縮して迅速に情報の再生を行うことができる。
【００４７】
上記の課題を解決するために、請求項１４に記載の発明は、請求項８から１２のいずれか一項に記載の利得制御方法を含む情報記録方法であって、前記情報記録媒体に対して前記光ビームを射出すると共に前記反射光を受光して前記受光信号を生成するピックアップ工程と、前記制御工程にて設定された利得に応じて前記増幅装置にて増幅された前記生成信号に基づいて前記情報記録媒体上からの情報の再生を行う再生工程と、前記再生された情報に基づいて、前記情報記録媒体に記録すべき記録情報を加工し、当該情報記録媒体に記録する記録工程と、を備える。
【００４８】
よって、情報記録媒体に対して情報を記録する場合に、生成信号に対する利得調整時間を短縮して迅速に情報の記録を行うことができる。
【００４９】
【発明の実施の形態】
次に、本発明に好適な実施の形態について、図面に基づいて説明する。
【００５０】
なお、以下に説明する各実施の形態は、ＣＤ（Compact  Disc）又はＣＤ−ＲＷ（Compact  Disc-Rewritable；複数回の記録又は再生が可能なＣＤであり、当該ＣＤ−ＲＷからの反射光の強度は、通常のＣＤからの反射光の強度に比してその利得が約１２dB低いことが知られている。）に記録されている情報を再生する情報再生装置における利得制御（第１実施形態及び第２実施形態）又は当該ＣＤ−ＲＷに対して情報を記録する情報記録装置における利得制御（第３実施形態）に対して本発明を適用した場合の実施形態である。
【００５１】
（Ｉ）第１実施形態
初めに、本発明に係る第１実施形態について、図１乃至図６を用いて説明する。
【００５２】
まず、図１及び図２を用いて第１実施形態に係る情報再生装置の全体構成及び動作について説明する。なお、図１は第１実施形態に係る情報再生装置の全体構成を示すブロック図であり、図２は後述するピックアップ内のディテクタの構成を示す平面図である。
【００５３】
図１に示すように、第１実施形態に係る情報再生装置Ｓは、ピックアップ手段としてのピックアップ２と、サーボモータ３と、生成手段としての加算器４及び５と、粗調整手段及び生成手段としてのプリアンプ６乃至８と、微調整手段としての可変アンプ９乃至１１と、Ａ／Ｄ（Analog/Digital）コンバータ１２と、再生手段としてのＤＳＰ（Digital  Signal  Processor）１３と、ＲＦレベル検出回路１４と、イコライザ１５及び１７と、ＦＥ（Focus  Error）レベル検出回路１６と、制御手段、予測手段、相関パラメータ生成手段、変化パラメータ生成手段及び再生制御手段としてのＣＰＵ１８と、ドライバ１９と、スピンドルモータ２０と、により構成されている。
【００５４】
また、ＣＰＵ１８は、その内部に記憶手段としてのメモリ１８ａを備えており、このメモリ１８ａは、情報再生装置Ｓの電源を断としても記憶内容が消去されない不揮発性のメモリとされている。
【００５５】
更に、ピックアップ２内には、図２に示す部分ディテクタ２５ａ乃至２５ｆを備えるディテクタ２５と、図１に示す光ビームＢを射出する図示しないレーザダイオード及び射出された光ビームＢを光ディスク１上に集光する図示しない対物レンズ等が含まれている。
【００５６】
次に、全体動作を説明する。
【００５７】
スピンドルモータ２０は、ドライバ１９からの後述するスピンドル駆動信号Ｓdsにより駆動され、再生すべき情報が記録されている情報記録媒体としての光ディスク１を予め設定された所定の回転数で回転させる。
【００５８】
このとき、ピックアップ２は、情報再生用に用いられる主ビームとしての上記光ビームＢ及び図示しない二つの副ビーム（いわゆる３ビーム法によりトラッキングサーボ制御を行うための副ビーム）を夫々光ディスク１における情報記録面に照射し、夫々の反射光をディテクタ２５により受光して受光信号Ｓa乃至Ｓfを出力する。
【００５９】
この場合に、ピックアップ２は、図２に示すように、光ビームＢの反射光（いわゆる非点収差法によるフォーカスサーボ制御のために、ピックアップ２内の図示しないシリンドリカルレンズ等により予め非点収差が与えられている。）を部分ディテクタ２５ａ乃至２５ｄにより受光して受光信号Ｓa乃至Ｓdを出力すると共に、各副ビームを部分ディテクタ２５ｅ及び２５ｆにより夫々別個に受光し、受光信号Ｓe及びＳfを夫々出力する。その際、光ビームＢは、その反射光の部分ディテクタ２５ａ乃至２５ｄ上における照射範囲が図２に示す照射範囲ＳＰとなるように射出され、更に各副ビームは、その反射光の部分ディテクタ２５ｅ及び２５ｆ上における照射範囲が図２に夫々示す照射範囲ＳＰｅ及びＳＰｆとなるように射出される。そして、当該受光信号Ｓa乃至Ｓdが後述する再生ＲＦ信号Ｓrfの生成及びフォーカスエラー信号Ｓfe（上記非点収差法により生成されるフォーカスエラー信号）の生成に用いられ、一方、受光信号Ｓe及びＳfが後述するトラッキングエラー信号Ｓteの生成に用いられる。
【００６０】
次に、加算器４は、受光信号Ｓaと受光信号Ｓcとを加算し、加算信号Ｓsu1を生成してプリアンプ６の一方の端子及びプリアンプ７の正転端子に夫々出力する。
【００６１】
これと並行して、加算器５は、受光信号Ｓbと受光信号Ｓdとを加算し、加算信号Ｓsu2を生成してプリアンプ６の他方の端子及びプリアンプ７の反転端子に夫々出力する。
【００６２】
これにより、プリアンプ６は、加算信号Ｓsu1と加算信号Ｓsu2とを加算し、光ディスク１に記録されている情報に対応する上記再生ＲＦ信号Ｓrfを生成して可変アンプ９に出力する。この時、プリアンプ６は、後述するＣＰＵ１８からの制御信号Ｓc1に基づいて再生ＲＦ信号Ｓrfの利得（ゲイン）を粗調整する。
【００６３】
一方、プリアンプ７は、加算信号Ｓsu1から加算信号Ｓsu2を減算し、上記非点収差法によるフォーカスサーボ制御のためのフォーカスエラー信号Ｓfeを生成して可変アンプ１０に出力する。この時、プリアンプ７は、後述するＣＰＵ１８からの制御信号Ｓc2に基づいてフォーカスエラー信号Ｓfeの利得を粗調整する。
【００６４】
更に、プリアンプ８は、受光信号Ｓeから受光信号Ｓfを減算し、上記３ビーム法によるトラッキングスサーボ制御のためのトラッキングエラー信号Ｓteを生成して可変アンプ１１に出力する。この時、プリアンプ８は、後述するＣＰＵ１８からの制御信号Ｓc3に基づいてトラッキングエラー信号Ｓteの利得を粗調整する。
【００６５】
次に、可変アンプ９は、粗調整された再生ＲＦ信号Ｓrfの利得を、後述するＣＰＵ１８からの制御信号Ｓc6に基づいて微調整し、調整ＲＦ信号Ｓarfを生成してＡ／Ｄコンバータ１２及びＲＦレベル検出回路１４へ出力する。
【００６６】
その後、Ａ／Ｄコンバータ１２は、当該調整ＲＦ信号Ｓarfをディジタル化し、ディジタルＲＦ信号Ｓdrfを生成してＤＳＰ１３にする。そして、ＤＳＰ１３は、当該ディジタルＲＦ信号Ｓdrfに対して予め設定されたディジタル処理を施し、ディジタル出力信号Ｓoutとして外部の図示しないスピーカ等（ディジタル出力信号Ｓoutがオーディオ信号である場合）又は図示しない画像処理部等（ディジタル出力信号Ｓoutが画像信号である場合）に出力する。
【００６７】
これと並行して、ＲＦレベル検出回路１４は、調整ＲＦ信号Ｓarfの出力レベル（具体的には電圧レベル等）を検出し、検出信号Ｓlrを生成してＣＰＵ１８へ出力する。
【００６８】
一方、可変アンプ１０は、粗調整されたフォーカスエラー信号Ｓfeの利得を、後述するＣＰＵ１８からの制御信号Ｓc5に基づいて微調整し、調整フォーカスエラー信号Ｓafeを生成してイコライザ１５及びＦＥレベル検出回路１４へ出力する。
【００６９】
その後、イコライザ１５は、調整フォーカスエラー信号Ｓafeに対して波形整形等の処理を施し、光ビームＢ及び各副ビームの焦点位置と光ディスク１の情報記録面の位置との当該情報記録面に垂直な方向のずれを示す整形フォーカスエラー信号Ｓad1を生成してドライバ１９へ出力する。
【００７０】
これと並行して、ＦＥレベル検出回路１６は、調整フォーカスエラー信号Ｓafeの出力レベル（具体的には電圧レベル等）を検出し、検出信号Ｓlfを生成してＣＰＵ１８へ出力する。
【００７１】
他方、可変アンプ１１は、粗調整されたトラキングエラー信号Ｓteの利得を、後述するＣＰＵ１８からの制御信号Ｓc4に基づいて微調整し、調整トラッキングエラー信号Ｓateを生成してイコライザ１７へ出力する。
【００７２】
その後、イコライザ１７は、調整トラッキングエラー信号Ｓateに対して波形整形等の処理を施し、光ビームＢの焦点位置と光ディスク１の情報記録面上のトラックの位置との当該光ディスク１の半径方向のずれを示す整形トラッキングエラー信号Ｓad2を生成してドライバ１９へ出力する。
【００７３】
そして、ドライバ１９は、上記整形フォーカスエラー信号Ｓad1及び整形トラッキングエラー信号Ｓad2に基づいて、当該整形フォーカスエラー信号Ｓad1がゼロレベルとなるようにピックアップ２内の図示しない対物レンズを光ディスク１の情報記録面に垂直な方向に駆動すると共に当該整形トラッキングエラー信号Ｓad2がゼロレベルとなるようにピックアップ２内の図示しない対物レンズを光ディスク１の半径方向に駆動するためのアクチュエータ駆動信号Ｓdpを生成し、ピックアップ２に出力して上記フォーカスサーボ制御及びトラッキングサーボ制御を行う。
【００７４】
これと並行して、ドライバ１９は、整形トラッキングエラー信号Ｓad2をゼロレベルとするためには対物レンズの駆動だけでは不足する場合には、サーボモータ３を駆動してピックアップ２を支持している図示しないキャリッジを光ディスク１の半径方向に移動させるべくモータ駆動信号Ｓdmを生成して当該サーボモータ３に出力する。
【００７５】
更に、ドライバ１９は、上記スピンドルモータ２０を予め設定されている所定の回転数で駆動して光ディスク１を回転させるべく、上記スピンドル駆動信号Ｓdsを生成して当該スピンドルモータ２０へ出力する。
【００７６】
次に、ＣＰＵ１８は、検出信号Ｓlr及びＳlfに基づいて、後述する処理により当該各プリアンプ６乃至８及び各可変アンプ９乃至１１における夫々の信号の利得に対する粗調整又は微調整を制御するための上記制御信号Ｓc1乃至Ｓc6を生成して各プリアンプ６乃至８及び各可変アンプ９乃至１１に出力する。この時、メモリ１８ａは、過去にプリアンプ６乃至８において粗調整された利得に対応する後述するパラメータｘ及び過去に可変アンプ１０において微調整された利得に相当する後述するパラメータｙを夫々時系列的に記憶しており、ＣＰＵ１８は当該記憶されているパラメータｘ及びｙの値を上記データとして読み出ししつつ利得の設定及び制御を行う。
【００７７】
また、これと並行して、ＣＰＵ１８は、情報再生装置Ｓを構成する各構成部材のタイミング制御等、当該情報再生装置Ｓ全体に係る制御動作を行う。
【００７８】
次に、第１実施形態の情報再生装置Ｓにおける再生処理について、図３乃至図６を用いて説明する。
【００７９】
なお、図３は第１実施形態に係る再生処理の全体を示すフローチャートであり、図４は第１実施形態に係る利得制御処理の細部を示すフローチャートであり。図５は相関パラメータの時間的変化を例示する図であり、図６は変化パラメータの時間的変化を例示する図である。
【００８０】
先ず、再生処理における全体動作について、図３を用いて説明する。
【００８１】
情報再生装置Ｓにおける再生処理においては、初めに、光ディスク１が情報再生装置Ｓに挿入されたか否かが判定され（ステップＳ１）、挿入されないときは（ステップＳ１；Ｎ）挿入されるまでそのまま待機し、挿入されているときは（ステップＳ１；Ｙ）、次に、例えば、挿入された光ディスク１の属性の判定及び初期設定用情報の当該光ディスク１からの読み出し等を光ビームＢを実際に光ディスク１に照射することにより実行し、当該読み出した情報により情報再生装置Ｓ全体の初期設定を行う（ステップＳ２）。
【００８２】
ここで、ステップＳ２の初期設定時には実際に光ビームＢ及び上記副ビームが夫々光ディスク１に照射されるので、上述した一連の動作により、上記検出信号Ｓlr及びＳlfも生成される。そこで、当該初期設定が終了すると（ステップＳ２）、次に、主としてＣＰＵ１８を用いた第１実施形態の利得制御処理として、当該検出信号Ｓlr及びＳlfの値に基づいて各プリアンプ６乃至８における今回の粗調整のための利得が設定されると共に、各可変アンプ９乃至１１における今回の微調整のための利得が設定される（ステップＳ３）。
【００８３】
なお、この時に各プリアンプ６乃至８における粗調整時に変化した利得に対応するパラメータが上記パラメータｘであり、一方この時の微調整時に変化した利得のうち、可変アンプ１０において行われた微調整時に変化した利得に対応するパラメータが上記パラメータｙである。
【００８４】
ここで、パラメータｘの具体値としては、例えば、各プリアンプ６乃至８における今回の粗調整後の各利得（上記検出信号Ｓlr及びＳlfにより検出される。）が、全て初期値のままであるときはパラメータｘは「０」とされ、当該各利得のうち一つでも初期値から６dB以上増加したものがあるときはパラメータｘは「１」とされ、更に当該各利得のうち一つでも初期値から１２dB以上増加したものがあるときはパラメータｘは「２」とされる。また、パラメータｙの具体値としては、例えば、可変アンプ１０における今回の微調整後の利得（上記検出信号Ｓlfにより検出される。）が初期値から変化していないときはパラメータｙは「０」とされ、当該利得が初期値から６dB以上増加したものがあるときはパラメータｙは「１」とされ、更に当該利得が初期値から６dB低下したときはパラメータｙは「−１」とされる。
【００８５】
そして、今回の利得制御処理が終了すると（ステップＳ３）、次に、図示しない操作部から再生開始が指示されたか否かが判定され（ステップＳ４）、指示されていないときは（ステップＳ４；Ｎ）指示されるまで待機し、一方指示されているときは（ステップＳ４；Ｙ）、次に、情報再生装置Ｓの各構成部材を用いて実際の再生処理を行う（ステップＳ５）。
【００８６】
そして、再生が終了して光ディスク１が交換されたか否かが判定され（ステップＳ６）、交換されたときは（ステップＳ６；Ｙ）再度再生処理を開始すべくステップＳ２に戻り、一方交換されないときは（ステップＳ６；Ｎ）そのまま再生処理を終了する。
【００８７】
ここで、上記した各処理のうち、ステップＳ２及びＳ３の処理は、これらを合わせて一般にセットアップ処理と称されている処理である。
【００８８】
次に、本発明に係るＣＰＵ１８による各プリアンプ６乃至８における今回の粗調整時の利得制御及び各可変アンプ９乃至１１における今回の微調整時の利得制御（ステップＳ３）について、図４乃至図６を用いて説明する。
【００８９】
第１実施形態の利得制御処理においては、図４に示すように、先ず、前回までのセットアップ処理内の利得制御処理において生成されメモリ１８ａ内に記憶されている上記パラメータｘ（すなわち、プリアンプ６乃至８における前回の粗調整時の利得に対応するパラメータｘ）及びパラメータｙ（すなわち、可変アンプ１０における前回の微調整時の利得に対応するパラメータｙ）をＣＰＵ１８内に取り込む（ステップＳ１１）。
【００９０】
次に、ステップＳ１１において取得されたパラメータｘ及びｙを夫々ｘt及びｙt（ｔは自然数）としてメモリ１８ａに新たに記憶させると共に、前回より過去に行われた利得制御時に記憶されているパラメータｘ及びｙの値を夫々セットアップ一回分づつ過去のものとしてメモリ１８ａに記憶し直す（ステップＳ１２）。ここで、ステップＳ１２において用いられている添字ｔは、記憶されているパラメータｘ及びｙの値の新しさを示すものであり、最も新しいパラメータｘ及びｙの値は（ｘt、ｙt）とされ、前々回のセットアップ時に生成されたパラメータｘ及びｙの値は（ｘt-1、ｙt-1）とされ、前々々回のセットアップ時に生成されたパラメータｘ及びｙの値は（ｘt-2、ｙt-2）とされ、以下、順に、ｎ＋１（ｎは自然数）回前のセットアップ時に生成されたパラメータｘ及びｙの値は（ｘt-n、ｙt-n）、ｎ＋２回前のセットアップ時に生成されたパラメータｘ及びｙの値は（ｘt-(n+1)、ｙt-(n+1)）、……、とされるものである。
【００９１】
次に、メモリ１８ａ内の記憶内容の更新が完了すると（ステップＳ１２）、次に、光ビームＢの反射光の受光レベルの変化を示すパラメータであり当該受光レベルの変化と相関性の強い相関パラメータとして、
【数１】
ｒt＝ｘt＋ｙt
なる相関パラメータｒtを計算し、更に、メモリ１８ａ内に記憶されている各パラメータｘ及びｙ（すなわち、ｘt、ｘt-1、ｘt-2、……、ｘt-n、ｘt-(n+1)及びｙt、ｙt-1、ｙt-2、……、ｙt-n、ｙt-(n+1)）について、夫々に相関パラメータｒt、ｒt-1、ｒt-2、……、ｒt-n、ｒt-(n+1)を計算する（ステップＳ１３）。
【００９２】
ここで、当該相関パラメータｒについては、その具体的な値は、上述したパラメータｘ及びｙの定義により、その最大値は「３」であり、その最小値は「−１」である。また、仮にパラメータｘが初期値のままであるとすると、相関パラメータｒが「−１」のときには可変アンプ１０において利得を６dB増大させる必要があった（ここで、光ビームＢの反射光の強度が経年的に増大することはないので、この場合には各プリアンプ６乃至８において設定されていた粗調整用の利得が低すぎたことになる。）こととなり、相関パラメータｒが「０」であるときは当該反射光の強度が初期値から変化してない（すなわち、経時劣化していない）ことを示しており、更に相関パラメータｒが「１」であるときは主として対物レンズの汚れ等に起因する経時劣化により当該反射光の強度が初期値から−６dB経時劣化したことを示していることになる。
【００９３】
一方、当該相関パラメータｒ自体の経時変化については、具体的には、その初期値（情報再生装置Ｓの使用開始時の相関パラメータｒの値）を「０」とし、当該相関パラメータｒの値の符号を変えた値（この値は、すなわち各プリアンプ６乃至８又は可変アンプ９乃至１１により増幅する必要のあった再生ＲＦ信号Ｓrf、フォーカスエラー信号Ｓfe又はトラッキングエラー信号Ｓteの利得（低減した利得）を示している）の当該初期値からの累積値で見ると、経時劣化により図５に示すように徐々にその累積値が低減していくのが通常である。そして、相関パラメータｒの累積値が初期値から約１２dB低下すると、その時点で当該情報再生装置Ｓが寿命を迎えてそれ以後は使用できないと判断できる。なお、図５において、その直前の累積値から約１２dB低減している部分が随所にあるが、これは、そのタイミングで情報再生装置Ｓに挿入された光ディスク１がＣＤ−ＲＷであることを示している。
【００９４】
また、このように設定された相関パラメータｒと、パラメータｘ及びｙの組み合わせについて具体的には、例えば以下の表に示すようになる。
【００９５】
【表１】
0003819165.tif 000002
そして、各相関パラメータｒが計算されたら（ステップＳ１３）、次に、当該各相関パラメータｒのうち、最新の相関パラメータｒt及び当該最新の相関パラメータｒtから起算して過去２回のセットアップに対応する二つの相関パラメータｒt-1及びｒt-2の三つを用いて、新たに、光ビームＢの反射光の強度変化に対して最も相関性の強いパラメータである変化パラメータＲを、
【数２】
Ｒ＝min（ｒt、ｒt-1、ｒt-2）
として設定する（ステップＳ１４）。ここで、上式におけるmin（    ）は、小カッコ内に含まれている相関パラメータｒのうち最小の値を有する相関パラメータｒを選択して変化パラメータＲとする演算を示している。そして、このように変化パラメータＲを設定すると、図６に示すように当該変化パラメータＲを算出する元になった相関パラメータｒの符号を変えた値が時系列的に急激に低減し更に急激に増大した場合に、当該変化パラメータＲの値は、それが低減される方向には緩やかに低減され、一方増大される方向には急激に（相関パラメータｒの変化に敏感に追随して）増大することとなる。このように変化する変化パラメータＲに基づいて各アンプの利得を制御することにより、相関パラメータｒの平均値を示し且つ各サーボ制御系が急激な利得の増大に起因して発振等を起こすことを防止しつつ最適に各アンプの利得を制御できることとなる。
【００９６】
次に、その時の変化パラメータＲの値が求まると（ステップＳ１４）、その値を評価し（ステップＳ１５）、その評価に基づいて各プリアンプ６乃至８における粗調整用の利得を制御すべく上記制御信号Ｓc1乃至Ｓc３を生成して各プリアンプ６乃至８に出力し（ステップＳ１６）、更に当該プリアンプ６乃至８により粗調整された利得に基づいて次に当該利得を微調整すべく上記制御信号Ｓc4乃至Ｓc6を生成して可変アンプ９乃至１１に出力し（ステップＳ１７）、今回の利得制御処理後の利得に対応するパラメータｘ及びｙをメモリ１８ａに記憶させて（ステップＳ１８）、元のステップＳ４へ移行する。
【００９７】
ここで、当該ステップＳ１５及びＳ１６の処理としては、例えば、ステップＳ１４において算出した変化パラメータＲの値が「０」であるとき（例えば、変化パラメータＲ＝min（０、０、０）＝０の場合又は変化パラメータＲ＝min（０、１、１）＝０の場合等）は、光ビームＢの反射光の強度が初期値のままか又は若干低減しているものの各プリアンプ６乃至８により増幅処理が必要となるほどの変化ではないと評価して（ステップＳ１５）、各プリアンプ６乃至８の利得が初期値のままとなるように制御信号Ｓc1乃至Ｓc3を出力する（ステップＳ１６）。
【００９８】
また、ステップＳ１４において算出した変化パラメータＲの値が「１」であるとき（例えば、変化パラメータＲ＝min（１、１、１）＝１の場合等）は、主として対物レンズの経時劣化により光ビームＢの反射光の強度が低減しており各プリアンプ６乃至８により第一段階の増幅処理が必要であると評価して（ステップＳ１５）、各プリアンプ６乃至８の利得を６dB増大させるように制御信号Ｓc1乃至Ｓc3を出力する（ステップＳ１６）。
【００９９】
更に、ステップＳ１４において算出した変化パラメータＲの値が「０」であるとき（例えば、変化パラメータＲ＝min（０、２、０）＝０の場合等）は、前々回は光ディスク１としてＣＤ−ＲＷを再生したために光ビームＢの反射光の強度が一時的に低下したが、前回のＣＤを再生する際には元の強度に復帰している（すなわち、経時劣化はない）と評価して（ステップＳ１５）、各プリアンプ６乃至８の利得が初期値のままとなるように制御信号Ｓc1乃至Ｓc3を出力する（ステップＳ１６）。
【０１００】
更にまた、ステップＳ１４において算出した変化パラメータＲの値が「２」であるとき（例えば、変化パラメータＲ＝min（２、２、２）＝２の場合等）は、少なくとも前３回以降は光ディスク１としてＣＤ−ＲＷばかりが再生されており今回もＣＤ−ＲＷを再生する可能性が高いと評価するか、又は対物レンズの経時劣化により光ビームＢの反射光の強度が極度に低減しており各プリアンプ６乃至８により第二段階の増幅処理が必要であると評価して（ステップＳ１５）、各プリアンプ６乃至８の利得を１２dB増大させるように制御信号Ｓc1乃至Ｓc3を出力する（ステップＳ１６）。
【０１０１】
以上説明したように、第１実施形態の情報再生装置Ｓにおける利得制御処理によれば、時系列的に蓄積されたパラメータｘ及びｙを用いて今回の利得を粗調整し、更にその結果に基づいて当該利得を微調整することにより、将来の反射光の強度の変化を予め見越して利得を粗調整した後に微調整することができることとなるので、前回の粗調整時における調整値をそのまま用いて今回の粗調整を行い更に微調整を行える場合が多くなることとなり、従って、粗調整における調整値が当該粗調整の度に頻繁に変更されることに起因する利得調整時間の増大を、調整精度を保持しつつ効果的に防止して迅速に再生処理に移行することができる。
【０１０２】
また、光ディスク１からの反射光の強度に相関を有する相関パラメータｒ及びその経時変化を示す変化パラメータＲを夫々生成しつつ今回の利得を予測して設定するので、より正確に今回の利得を予測して反射光の強度変化に伴う利得調整時間の増大を防止できる。
【０１０３】
更に、光ディスク１から検出される再生ＲＦ信号Ｓrf及びフォーカスエラー信号Ｓfeに基づいて相関パラメータｒ及び変化パラメータＲが生成されるので、より正確に反射光の特性の経時変化に起因する調整すべき利得の変化を把握してこれを迅速に調整することができる。
【０１０４】
なお、上述の第１実施形態においては、今回検出された検出信号Ｓlr及びＳlf並びに今回生成されたパラメータｘ及びｙを用いて相関パラメータｒ及び変化パラメータＲを求めて今回のプリアンプ６乃至８の粗調整すべき利得を設定したが、これ以外に、前回のパラメータｘ及びｙを生成した際に相関パラメータｒ及び変化パラメータＲを算出し、その値をそのまま今回の相関パラメータｒ及び変化パラメータＲとして用いて今回のプリアンプ６乃至８の粗調整すべき利得を設定してもよい。
【０１０５】
この場合には、今回のプリアンプ６乃至８の粗調整における相関パラメータｒ及び変化パラメータＲを改めて設定する必要がないこととなり、今回の利得調整時間を更に短縮できる。
【０１０６】
なお、この構成においては、当該前回の相関パラメータｒ及び変化パラメータＲは一時的にメモリ１８ａ内に記憶させておくこととなる。
【０１０７】
更に、上述の第１実施形態においては、光ビームＢの反射光を受光して得られる再生ＲＦ信号Ｓrf、フォーカスエラー信号Ｓfe及びトラッキングエラー信号Ｓteのうち、再生ＲＦ信号Ｓrfの出力レベル及びフォーカスエラー信号Ｓfeの出力レベルを用いて相関パラメータｒ及び変化パラメータＲを設定してプリアンプ６乃至８の利得を制御したが、これ以外に、上記三つの信号全てを用いて上記処理を行ってもよいし、また、上記三つの信号から二つの信号を選択して用いる組み合わせのうち、再生ＲＦ信号Ｓrf及びフォーカスエラー信号Ｓfeを含む組み合わせ以外の組み合わせを用いて上記処理を行ってもよいし、更に上記三つの信号のうちいずれか一の信号のみを用いて上記処理を行ってもよい。このいずれの場合でも上記第１実施形態と同様な効果が得られる。
【０１０８】
（II）第２実施形態
次に、本発明に係る他の実施形態である第２実施形態について、図７を用いて説明する。
【０１０９】
上述の第１実施形態においては、光ビームＢの反射光を受光して前回得らた再生ＲＦ信号Ｓrf、フォーカスエラー信号Ｓfe及びトラッキングエラー信号Ｓteのうち、その全部又は一部を用いて前回のパラメータｘ及びｙを設定し、更に当該前回のパラメータｘ及びｙを用いて今回のプリアンプ６乃至８の利得を制御したが、第２実施形態の情報再生装置では、前回の利得調整処理時における再生ＲＦ信号Ｓrfの出力レベルとフォーカスエラー信号Ｓfeを用いたフォーカスサーボ制御において制御された利得とを用いて前回のパラメータｘ及びｙを設定し、これにより今回のプリアンプ６乃至８の利得を制御する。なお、第２実施形態の構成は、当該フォーカスサーボ制御において制御された利得が、再生ＲＦ信号Ｓrfの出力レベルと同様に光ビームＢの反射光の変化に対して強い相関を有していることにより可能となるものである。
【０１１０】
なお、図７に示す第２実施形態の情報再生装置において、図１に示す第１実施形態の情報再生装置Ｓと同様の構成部材については、同様の部材番号を付して細部の説明は省略する。
【０１１１】
すなわち、図７に示すように、第２実施形態の情報再生装置Ｓ’は、第１実施形態の情報再生装置ＳにおけるＦＥレベル検出回路１６に代えて、イコライザ１５’から出力されるフォーカスサーボ制御におけるサーボループ内の利得に対応する利得信号Ｓecに基づいて、その利得の値を示す利得検出信号Ｓdgを出力するゲイン検出回路３０を備えている。
【０１１２】
ここで、ゲイン検出回路３０は、当該サーボループ内に予め設定された所定周波数の外乱信号を注入した場合の、当該注入前後のサーボループ上において検出される利得を利得検出信号ＳdgとしてＣＰＵ１８に出力するものである。この時、当該二つの利得が光ビームＢの反射光の変化に対して強い相関を有しているのである。
【０１１３】
そして、ＣＰＵ１８は、当該利得検出信号Ｓdg及び上記検出信号Ｓlrを用いて、各プリアンプ６乃至８及び各可変アンプ９乃至１１における夫々の信号の利得に対する粗調整又は微調整を制御するための上記制御信号Ｓc1乃至Ｓc6を生成して各プリアンプ６乃至８及び各可変アンプ９乃至１１に出力する。
【０１１４】
より具体的には、利得制御処理（図４ステップＳ３参照）において、前回の利得制御時に検出信号Ｓlr及び利得検出信号Ｓdgの値に基づいて各プリアンプ６乃至８における今回の粗調整のための利得を設定し、更に各可変アンプ９乃至１１における今回の微調整のための利得を設定する。この時、各プリアンプ６乃至８における前回の粗調整時に変化した利得に対応するパラメータがパラメータｘとされ、一方微調整時に変化した利得のうち、可変アンプ１０において行われた前回の微調整時に変化した利得に対応するパラメータがパラメータｙとされることで、今回の利得制御処理（図２及び図３参照）が行われるのである。
【０１１５】
ここで、このように設定されたパラメータｘ及びｙを用いて夫々生成される相関パラメータｒ及び変化パラメータＲも、上記第１実施形態の場合と同様の特性を有する。
【０１１６】
なお、その他の情報再生装置Ｓ’における処理は、第１実施形態の情報再生装置Ｓにおける処理と同様であるので、細部の説明は省略する。
【０１１７】
以上説明したような第２実施形態の情報再生装置Ｓ’における利得制御処理によっても、上記第１実施形態の情報再生装置Ｓと同様の効果を奏することができる共に、正確に反射光の特性の経時変化に起因する調整すべき利得の変化を把握してこれを調整することができる。
【０１１８】
（III）第３実施形態
次に、本発明に係る他の実施形態である第３実施形態について、図８を用いて説明する。なお、図８は第３実施形態に係る情報記録装置の概要構成を示すブロック図である。
【０１１９】
上述した第１実施形態及び第２実施形態においては、光ディスク１に記録されている情報を再生する情報再生装置に対して本発明を適用した場合について説明したが、これ以外に、本発明は、光ディスク１が上記ＣＤ−ＲＷである場合に、当該ＣＤ−ＲＷに予め記録されている記録制御信号を検出し、当該検出した記録制御情報に基づいてＣＤ−ＲＷである光ディスク１に情報を記録する情報記録装置に対しても適用することができる。
【０１２０】
この第３実施形態について、第１実施形態の情報再生装置Ｓに対応する場合について図８を用いて説明すると、第３実施形態の情報記録装置Ｒは、第１実施形態の情報再生装置Ｓの構成に加えて、ＤＳＰ１３から出力されるディジタル出力信号Ｓout（このディジタル出力信号Ｓout内に上記記録制御情報が含まれていることとなる。）から当該記録制御情報を抽出し、記録制御信号Ｓcc（具体的には、光ディスク１上のアドレス情報等を含んでいる。）をエンコーダ４０に出力する記録制御部３５と、当該記録制御信号Ｓccに基づいて外部から入力されてくる記録すべき記録情報Ｓrを符号化し、エンコード信号Ｓrrを生成してピックアップ２内の図示しないレーザダイオードに出力してこれを制御する記録手段としてのエンコーダ４０と、を備えている。そして、このエンコード信号Ｓrrに基づいて当該レーザダイオードの発振強度が制御されることにより、記録制御信号Ｓcc内のアドレス情報により示される光ディスク１上の位置に記録情報Ｓrに対応する情報ピットが形成されて当該記録情報Ｓrが記録される。
【０１２１】
なお、図８において図１に示す情報再生装置Ｓと同様の部材については、同様の部材番号を付して細部の説明は省略する。
【０１２２】
以上説明したように、第３実施形態の情報記録装置Ｒの動作によれば、第１実施形態の情報再生装置Ｓの動作による効果に加えて、光ディスク１に対して情報を記録する場合に、その利得調整時間を短縮して迅速に情報の記録を行うことができる。
【０１２３】
【発明の効果】
以上説明したように、請求項１に記載の発明によれば、時系列的に蓄積された過去のパラメータを用いて今回の利得を設定することにより、生成信号の値の変化を予め見越して利得を調整することができることとなる。この結果、前回の利得制御時における調整値として、例えば、粗調整時における調整値をそのまま用いて今回の利得（例えば、粗調整時の利得）を設定できる場合が多くなる。従って、例えば、粗調整における調整値が当該粗調整の度に頻繁に変更されることに起因する利得調整時間の増大を、調整精度を保持しつつ効果的に防止できる。
【０１２４】
従って、情報記録媒体に対して情報の再生又は記録の少なくともいずれか一方を行う場合に、利得調整時間の増大を防止して正確且つ迅速に当該再生又は記録を行うことができる。
【０１２５】
請求項２に記載の発明によれば、請求項１に記載の発明の効果に加えて、時系列的に蓄積された過去の生成信号の値を用いて今回の利得を粗調整し、更にその結果に基づいて当該利得を微調整することにより、生成信号の値の変化を予め見越して利得を粗調整した後に微調整することができることとなるので、前回の粗調整時における調整値をそのまま用いて今回の粗調整を行い更に微調整を行える場合が多くなることとなり、従って、粗調整における調整値が当該粗調整の度に頻繁に変更されることに起因する利得調整時間の増大を、調整精度を保持しつつ効果的に防止できる。
【０１２７】
請求項３に記載の発明によれば、請求項１又は２に記載の発明の効果に加えて、情報記録媒体からの反射光に相関を有するパラメータ及び反射光の特性の経時変化を示す変化パラメータを夫々生成しつつ生成手段における利得を設定するので、より正確に利得を予測して反射光の特性変化に伴う利得調整時間の増大を防止できる。
【０１２８】
請求項４に記載の発明によれば、請求項３に記載の発明の効果に加えて、情報記録媒体からの反射光に対して強い相関を有するＲＦ信号又はエラー信号のうちの少なくともいずれか一の信号に基づいてパラメータ及び変化パラメータが生成されるので、より正確に反射光の特性の経時変化に起因する調整すべき利得の変化を把握してこれを迅速に調整することができる。
【０１２９】
請求項５に記載の発明によれば、請求項４に記載の発明の効果に加えて、エラー信号がトラッキングエラー信号又はフォーカスエラー信号のうちの少なくともいずれか一のエラー信号であるので、ディスク状記録媒体に対する情報の再生又は記録のうち少なくともいずれか一方を行う場合において、より正確に反射光の特性の経時変化に起因する調整すべき利得の変化を把握してこれを迅速に調整することができる。
【０１３１】
請求項６に記載の発明によれば、請求項１から５のいずれか一項に記載の発明の効果に加えて、情報記録媒体から情報を再生する場合に、生成信号に対する利得調整時間を短縮して迅速に情報の再生を行うことができる。
【０１３２】
請求項７に記載の発明によれば、請求項１から５のいずれか一項に記載の発明の効果に加えて、情報記録媒体に対して情報を記録する場合に、生成信号に対する利得調整時間を短縮して迅速に情報の記録を行うことができる。
【０１３３】
請求項８に記載の発明によれば、時系列的に蓄積された過去のパラメータを用いて今回の利得を設定することにより、生成信号の値の変化を予め見越して利得を調整することができることとなる。この結果、前回の利得制御時における調整値として、例えば、粗調整時における調整値をそのまま用いて今回の利得（例えば、粗調整時の利得）を設定できる場合が多くなる。従って、例えば、粗調整における調整値が当該粗調整の度に頻繁に変更されることに起因する利得調整時間の増大を、調整精度を保持しつつ効果的に防止できる。
【０１３４】
従って、情報記録媒体に対して情報の再生又は記録の少なくともいずれか一方を行う場合に、利得調整時間の増大を防止して正確且つ迅速に当該再生又は記録を行うことができる。
【０１３５】
請求項９に記載の発明によれば、請求項８に記載の発明の効果に加えて、時系列的に蓄積された過去の生成信号の値を用いて今回の利得を粗調整し、更にその結果に基づいて当該利得を微調整することにより、生成信号の値の変化を予め見越して利得を粗調整した後に微調整することができることとなるので、前回の粗調整時における調整値をそのまま用いて今回の粗調整を行い更に微調整を行える場合が多くなることとなり、従って、粗調整における調整値が当該粗調整の度に頻繁に変更されることに起因する利得調整時間の増大を、調整精度を保持しつつ効果的に防止できる。
【０１３７】
請求項１０に記載の発明によれば、請求項８又は９に記載の発明の効果に加えて、情報記録媒体からの反射光に相関を有するパラメータ及び反射光の特性の経時変化を示す変化パラメータを夫々生成しつつ生成手段における利得を設定するので、より正確に利得を予測して反射光の特性変化に伴う利得調整時間の増大を防止できる。
【０１３８】
請求項１１に記載の発明によれば、請求項１０に記載の発明の効果に加えて、情報記録媒体からの反射光に対して強い相関を有するＲＦ信号又はエラー信号のうちの少なくともいずれか一の信号に基づいてパラメータ及び変化パラメータが生成されるので、より正確に反射光の特性の経時変化に起因する調整すべき利得の変化を把握してこれを迅速に調整することができる。
【０１３９】
請求項１２に記載の発明によれば、請求項１１に記載の発明の効果に加えて、エラー信号がトラッキングエラー信号又はフォーカスエラー信号のうちの少なくともいずれか一のエラー信号であるので、ディスク状記録媒体に対する情報の再生又は記録のうち少なくともいずれか一方を行う場合において、より正確に反射光の特性の経時変化に起因する調整すべき利得の変化を把握してこれを迅速に調整することができる。
【０１４１】
請求項１３に記載の発明によれば、請求項８から１２のいずれか一項に記載の発明の効果に加えて、情報記録媒体から情報を再生する場合に、生成信号に対する利得調整時間を短縮して迅速に情報の再生を行うことができる。
【０１４２】
請求項１４に記載の発明によれば、請求項８から１２のいずれか一項に記載の発明の効果に加えて、情報記録媒体に対して情報を記録する場合に、生成信号に対する利得調整時間を短縮して迅速に情報の記録を行うことができる。
【図面の簡単な説明】
【図１】第１実施形態に係る情報再生装置の全体構成を示すブロック図である。
【図２】ディテクタの構成を示す平面図である。
【図３】第１実施形態の再生処理の全体を示すフローチャートである。
【図４】第１実施形態の利得制御処理を示すフローチャートである。
【図５】相関パラメータの時間的変化を例示する図である。
【図６】変化パラメータの時間的変化を例示する図である。
【図７】第２実施形態に係る情報再生装置の概要構成を示すブロック図である。
【図８】第３実施形態に係る情報記録装置の概要構成を示すブロック図である。
【符号の説明】
１…光ディスク
２…ピックアップ
３…サーボモータ
４、５…加算器
６、７、８…プリアンプ
９、１０、１１…可変アンプ
１２…Ａ／Ｄコンバータ
１３…ＤＳＰ
１４…ＲＦレベル検出回路
１５、１７…イコライザ
１６…ＦＥレベル検出回路
１８…ＣＰＵ
１８ａ…メモリ
１９…ドライバ
２０…スピンドルモータ
２５…ディテクタ
２５ａ、２５ｂ、２５ｃ、２５ｄ、２５ｅ、２５ｆ…部分ディテクタ
３０…ゲイン検出回路
３５…記録制御回路
４０…エンコーダ
Ｂ…光ビーム
Ｓ、Ｓ’…情報再生装置
Ｒ…情報記録装置
ＳＰ、ＳＰｅ、ＳＰｆ…照射範囲
Ｓa、Ｓb、Ｓc、Ｓd、Ｓe、Ｓf…受光信号
Ｓsu1、Ｓsu2…加算信号
Ｓrf…再生ＲＦ信号
Ｓfe…フォーカスエラー信号
Ｓte…トラッキングエラー信号
Ｓarf…調整ＲＦ信号
Ｓafe…調整フォーカスエラー信号
Ｓate…調整トラッキングエラー信号
Ｓdrf…ディジタルＲＦ信号
Ｓout…ディジタル出力信号
Ｓlr、Ｓlf…検出信号
Ｓad1…整形フォーカスエラー信号
Ｓad2…整形トラッキングエラー信号
Ｓdm…モータ駆動信号
Ｓdp…アクチュエータ駆動信号
Ｓdc…スピンドル駆動信号
Ｓc1、Ｓc2、Ｓc3、Ｓc4、Ｓc5、Ｓc6…制御信号
Ｓec…利得信号
Ｓdg…利得検出信号
Ｓcc…記録制御信号
Ｓr…記録情報
Ｓrr…エンコード信号
【図１】
0003819165.tif 000003
【図２】
0003819165.tif 000004
【図３】
0003819165.tif 000005
【図４】
0003819165.tif 000006
【図５】
0003819165.tif 000007
【図６】
0003819165.tif 000008
【図７】
0003819165.tif 000009
【図８】
0003819165.tif 000010